(57)【要約】  スポーツ用ウェアは、着用者の身体に配される生地の少なくとも一部分に、身体への着圧を持たせた着圧部３０が形成されている。着圧部３０が形成される領域に、生地の表面に樹脂を塗布してなる複数の樹脂塗布部３１を分布させて設けてあり、前記領域内に樹脂塗布部３１の抜けた部分を設けることによって伸縮性を変化させている。
2020065969.tif 000002
【特許請求の範囲】
【請求項１】
着用者の身体に配される生地の少なくとも一部分に、身体への着圧を持たせた着圧部が形成されているスポーツ用ウェアにおいて、
前記着圧部が形成される領域に、生地の表面に樹脂を塗布してなる複数の樹脂塗布部を分布させて設けてあり、
前記領域内に前記樹脂塗布部の抜けた部分を設けることによって伸縮性を変化させていることを特徴とするスポーツ用ウェア。
【請求項２】
着用者の身体に配される生地の少なくとも一部分に、身体への着圧を持たせた着圧部が形成されているスポーツ用ウェアにおいて、
前記着圧部が形成される領域に、生地の表面に樹脂を塗布してなる複数の樹脂塗布部を分布させて設けてあり、
前記樹脂塗布部の寸法を変化させることによって伸縮性を変化させていることを特徴とするスポーツ用ウェア。
【請求項３】
前記着圧部は身体の体幹部に配されており、
体側部での伸縮性が低く、前面中央部または背面中央部において伸縮性が高いことを特徴とする請求項１または２に記載のスポーツ用ウェア。
【請求項４】
前記体側部と前記前面中央部との間に、伸縮性が中間となる領域を有することを特徴とする請求項３に記載のスポーツ用ウェア。
【請求項５】
前記着圧部は身体の臀部に配されており、
背面中央部において伸縮性が低く、前面中央部において伸縮性が高いことを特徴とする請求項１または２に記載のスポーツ用ウェア。
【請求項６】
前記背面中央部と前記前面中央部との間に、伸縮性が中間となる領域を有することを特徴とする請求項５に記載のスポーツ用ウェア。
【請求項７】
前記着圧部は身体の体幹部及び臀部に配されており、
体幹部の体側部での伸縮性が低く、体幹部の前面中央部または背面中央部において伸縮性が高く、
臀部の背面中央部において伸縮性が低く、臀部の前面中央部において伸縮性が高いことを特徴とする請求項１または２に記載のスポーツ用ウェア。
【請求項８】
前記体幹部の体側部と前面中央部との間に、伸縮性が中間となる第１の領域を有し、
前記臀部の背面中央部と前面中央部との間に、伸縮性が中間となる第２の領域を有することを特徴とする請求項７に記載のスポーツ用ウェア。
【請求項９】
前記樹脂塗布部は、多角形状または曲線で構成される図形であり、丈方向および周方向に並べて配されていることを特徴とする請求項１から８のいずれか１項に記載のスポーツ用ウェア。
【発明の詳細な説明】
【技術分野】
【０００１】
本発明は、スポーツ用ウェアに関する。
【背景技術】
【０００２】
スポーツ用ウェアは、着用者の身体に対する着圧を高めることで、例えば人体の体幹や臀部などをサポートする。【０００３】
例えば、特許文献１には、少なくとも臍（へそ）と上前腸骨棘との間の一部分の全周にわたって着圧を作用させる着圧部を備えるスポーツ用ウェアが開示されている。着圧部は、肋骨に達しない領域に設けられ、周方向の伸縮性が、着圧部以外の身頃部分における周方向の伸縮性よりも低く、且つ着圧部における丈方向の伸縮性が、着圧部における周方向の伸縮性よりも低い。着圧部は例えば編地によって構成されている。
【先行技術文献】
【特許文献】
【０００４】
【特許文献１】特許第５７１５７１１号公報
【発明の概要】
【発明が解決しようとする課題】
【０００５】
特許文献１に開示されたスポーツ用ウェアは、着圧部が編地によって構成されているため、着圧部において伸縮性に変化を付ける場合には編み方が複雑になり、製造コストが高くなってしまう。また、伸縮性の高い編地と伸縮性の低い編地とを組み合わせて着圧部に伸縮性の変化を付けるように構成することもできるが、縫合箇所が生じてしまう。【０００６】
本発明は、こうした課題に鑑みてなされたものであり、その目的は、低コストで伸縮性の変化を付与することができるスポーツ用ウェアを提供することにある。
【課題を解決するための手段】
【０００７】
本発明のある態様はスポーツ用ウェアである。スポーツ用ウェアは、着用者の身体に配される生地の少なくとも一部分に、身体への着圧を持たせた着圧部が形成されているスポーツ用ウェアにおいて、前記着圧部が形成される領域に、生地の表面に樹脂を塗布してなる複数の樹脂塗布部を分布させて設けてあり、前記領域内に前記樹脂塗布部の抜けた部分を設けることによって伸縮性を変化させていることを特徴とする。【０００８】
また別の態様のスポーツ用ウェアは、着用者の身体に配される生地の少なくとも一部分に、身体への着圧を持たせた着圧部が形成されているスポーツ用ウェアにおいて、前記着圧部が形成される領域に、生地の表面に樹脂を塗布してなる複数の樹脂塗布部を分布させて設けてあり、前記樹脂塗布部の寸法の大小を設けることによって伸縮性を変化させていることを特徴とする。【０００９】
なお、以上の構成要素の任意の組み合わせや、本発明の構成要素や表現を方法、装置などの間で相互に置換したものもまた、本発明の態様として有効である。
【発明の効果】
【００１０】
本発明によれば、スポーツ用ウェアは、低コストで伸縮性の変化を付与することができる。
【図面の簡単な説明】
【００１１】
【図１】図１（ａ）は実施形態１に係るスポーツ用ウェアの正面図であり、図１（ｂ）は実施形態１に係るスポーツ用ウェアの背面図である。
【図２】着圧部における生地の表面を示す模式図である。
【図３】着圧部の別の例における生地の表面を示す模式図である。
【図４】図４（ａ）〜図４（ｅ）は、樹脂塗布部の形状に関する他の例を示す模式図である。
【図５】図５（ａ）は実施形態２に係るスポーツ用ウェアの正面図であり、図５（ｂ）は実施形態２に係るスポーツ用ウェアの背面図である。
【図６】着圧部における身生地との剛性比の例を表すグラフである。
【図７】図７（ａ）は実施形態３に係るスポーツ用ウェアの正面図であり、図７（ｂ）は実施形態３に係るスポーツ用ウェアの背面図である。
【発明を実施するための形態】
【００１２】
以下、本発明を好適な実施の形態をもとに図１から図７を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１３】
（実施形態１）
図１（ａ）は実施形態１に係るスポーツ用ウェア１００の正面図であり、図１（ｂ）は実施形態１に係るスポーツ用ウェア１００の背面図である。図１（ａ）および図１（ｂ）に示すスポーツ用ウェア１００ではトップス１０およびボトムス２０を別体としており、トップス１０およびボトムス２０それぞれがスポーツ用ウェア１００であると認識される。また、スポーツ用ウェア１００は、トップス１０およびボトムス２０を一体化した形態のウェアであってもよい。
【００１４】
また、トップス１０およびボトムス２０の丈方向の長さは任意であってよく、身体に着用したときにトップス１０およびボトムス２０が重なる形態であっても、離間する形態であってもよい。スポーツ用ウェア１００は、図１（ａ）および図１（ｂ）において斜線でハッチングした領域Ｒにおいて全体的にまたは部分的に着圧部が形成されており、身体の体幹部にフィットするよう着圧を持たせてある。
【００１５】
着圧部は、身生地８に樹脂等を塗布して形成されており、身生地８よりも低い伸縮性を有する。着圧部を全体的にまたは部分的に設ける領域Ｒは、例えば大腿骨上部の高さ位置Ｐ１から胸骨下部の高さ位置Ｐ２までなどとすることで、スポーツ用ウェア１００を身体の体幹部にフィットさせる。
【００１６】
図２は、着圧部３０における生地の表面を示す模式図である。着圧部３０は、複数の樹脂塗布部３１を有している。樹脂塗布部３１には、ラバー、ウレタン、シリコンなどの樹脂等を身生地８に塗布し、生地の表面に樹脂層が形成されている。身生地８は編み地であり、例えば４０％の伸びに対して０．１〜１．５Ｎ／ｃｍ程度の剛性を有するものとする。また樹脂塗布部３１における樹脂層は、例えば４０％の伸びに対して０．１〜１５０Ｎ／ｃｍ程度の剛性を有する。樹脂塗布部３１は、塗布する材料、層の厚みを選定することによって所望の剛性に設定する。
【００１７】
図２に示す樹脂塗布部３１は小形の六角形状であり、六角形の内部が樹脂等で塗りつぶされている。樹脂塗布部３１の大きさは、例えば対角線の長さ寸法が１ｍｍ〜１０ｍｍ程度であるが、この範囲に限られるものではない。着圧部３０が形成される部分では、複数の樹脂塗布部３１を丈方向および周方向に並べて分布させて設けてある。樹脂塗布部３１は、互いに重ならないように設けてもよいし、部分的に重なるように設けられていてもよい。樹脂塗布部３１の間には隙間３２ができている。樹脂塗布部３１は、着圧部３０が形成される部分において一律に分布しておらず、所々に抜け部分３３が設けられている。抜け部分３３ａには樹脂塗布部３１の１つ分の抜けがあり、抜け部分３３ｂには２つ分の抜けがあり、抜け部分３３ｃには３つ分以上の抜けがある。
【００１８】
次に着圧部３０の作用について説明する。着圧部３０は、複数の樹脂塗布部３１を分布させて設けてあり、所々に抜け部分３３が設けられている。抜け部分３３ａ〜３３ｃのように抜け部分を設けることで、着圧部３０における伸縮性を変化させることができる。図２に示す例では、抜け部分３３の大きさが変化することで伸縮性が変化する。また、抜け部分３３の大きさを例えば樹脂塗布部３１の１つ分に固定し、場所によって抜け部分３３の設定数を変化させることで、着圧部３０における伸縮性を変化させることができる。このように抜け部分３３の大きさや設定数によって、抜け部分３３の密度、換言すれば樹脂塗布部３１の密度を変化させることで、着圧部３０内における伸縮性に変化を持たせることができる。
【００１９】
図２に示す着圧部３０は、丈方向にも周方向にも抜け部分３３の大きさや設定数が変化して、抜け部分３３または樹脂塗布部３１の密度が変化し、丈方向および周方向の両方向に伸縮性が変化している。また着圧部３０は、周方向には抜け部分３３（樹脂塗布部３１）の密度の変化を与え、丈方向には抜け部分３３（樹脂塗布部３１）の密度の変化を抑制することで、主として周方向に伸縮性を変化させることができる。同様に着圧部３０は、丈方向には抜け部分３３（樹脂塗布部３１）の密度の変化を与え、周方向には抜け部分３３（樹脂塗布部３１）の密度の変化を抑制することで、主として丈方向に伸縮性を変化させることができる。
【００２０】
図３は、着圧部３０の別の例における生地の表面を示す模式図である。図３に示す着圧部３０における樹脂塗布部３１は、図２に示す例と同様に樹脂等を身生地８に塗布し、生地の表面に樹脂層が形成されているが、外形寸法を変化させることで、着圧部３０の伸縮性を変化させている。
【００２１】
図３に示す樹脂塗布部３１は、図２に示す例と同様に小形の六角形状を外形としているが、外形寸法を徐々に変化させることで、樹脂塗布部３１の密度を変化させている。また隙間３２について見れば、樹脂塗布部３１の外形寸法を変化させることで、樹脂塗布部３１間に生じる隙間３２が占める面積に変化が生じる。
【００２２】
図３に示す樹脂塗布部３１の例では、周方向および丈方向の両方向において樹脂塗布部３１の外形寸法が変化しており、周方向および丈方向の両方向に伸縮性が変化する。周方向および丈方向のいずれか一方向における樹脂塗布部３１の外形寸法を変化させ、他方向における樹脂塗布部３１の外形寸法の変化を抑制することにより、主として当該一方向における伸縮性を変化させるようにしてもよい。
【００２３】
樹脂塗布部３１の外形は、六角形状に限られず、例えば三角形状やひし形等の任意の多角形状の図形としてもよく、また楕円や円形状、扇形状等の曲線で構成される図形としてもよい。また、樹脂塗布部３１に樹脂等を塗布する範囲は、上述の例のように樹脂塗布部３１の外形の図形の内部を塗りつぶすほか、図形内の中央部等の一部において塗布しない部分があってもよい。
【００２４】
図４（ａ）〜図４（ｅ）は、樹脂塗布部３１の形状に関する他の例を示す模式図である。図４（ａ）〜図４（ｄ）に示す樹脂塗布部３１がストライプ状に設けられている。図４（ａ）に示す樹脂塗布部３１は、周方向における寸法を変化させることで、着圧部３０の周方向における伸縮性を変化させている。図４（ｂ）に示す樹脂塗布部３１は、周方向における寸法は同一であるが、樹脂塗布部３１を設ける間隔を周方向に変化させることで、着圧部３０の周方向における伸縮性を変化させている。
【００２５】
図４（ｃ）に示す樹脂塗布部３１は、図４（ａ）に示す樹脂塗布部３１を丈方向に分割されるように隙間を設けたものである。また、図４（ｄ）に示す樹脂塗布部３１は、図４（ｂ）に示す樹脂塗布部３１を丈方向に分割されるように隙間を設けたものである。図４（ｃ）および図４（ｄ）のように丈方向に分割することにより、丈方向における伸縮性の低下を抑制することができ、更には、生地が丈方向に伸びたときに樹脂塗布部３１に裂け目や剥がれ等の破損が生じることを抑制することができる。
【００２６】
図４（ｅ）に示す樹脂塗布部３１は外形が一定寸法の円形であるが、樹脂等を塗布する面積を変化させることで、着圧部３０の周方向における伸縮性を変化させている。樹脂塗布部３１の外形は、円形に限られず、例えば三角形状やひし形等の任意の多角形状の図形としてもよく、また楕円や扇形状等の曲線で構成される図形としてもよい。
【００２７】
また樹脂塗布部３１は、塗布によって身生地８の表面に形成する樹脂層の厚みを変化させるようにしてもよい。樹脂層は、例えば着圧部３０における場所に応じて塗布する回数を変えることで、異なる厚みとすることができる。着圧部３０は、着圧部３０内の場所によって、樹脂塗布部３１における樹脂層の厚みが変化することで、着圧部３０の丈方向および周方向における伸縮性を変化させることができる。
【００２８】
着圧部３０は、上述のように樹脂塗布部３１の抜けや大きさの変化等を与えることによって、スポーツ用ウェア１００の丈方向および周方向に低コストで伸縮性の変化を付与することができる。
【００２９】
（実施形態２）
図５（ａ）は実施形態２に係るスポーツ用ウェア１００の正面図であり、図５（ｂ）は実施形態２に係るスポーツ用ウェア１００の背面図である。スポーツ用ウェア１００のトップス１０は、前面中央部４０ａ、前面中間部４０ｂ、体側部４０ｃ、背面中間部４０ｄおよび背面中央部４０ｅに区分けされている。前面中央部４０ａは、身体の前面側における腹部の中央に配されており、腹部中央での圧迫感を低減すべく周方向の伸縮性が高い領域とする。前面中央部４０ａは、身生地８であってもよいし、周方向の伸縮性が身生地８よりやや高い程度の着圧部３０として構成してもよい。背面中央部４０ｅは、身体の背面側の中央に配されており、前面中央部４０ａと同様に周方向の伸縮性が高い領域とし、身生地８であってもよいし、周方向の伸縮性が身生地８よりやや高い程度の着圧部３０として構成してもよい。
【００３０】
前面中間部４０ｂ、体側部４０ｃおよび背面中間部４０ｄは、トップス１０の体幹へのフィット性を高めるために着圧部３０として構成し、体側部４０ｃで周方向の伸縮性が最も低くなるようにする。前面中間部４０ｂは、前面中央部４０ａと体側部４０ｃとの中間程度の周方向の伸縮性を持たせる。同様に背面中間部４０ｄは、背面中央部４０ｅと体側部４０ｃとの中間程度の周方向の伸縮性を持たせる。
【００３１】
図６は着圧部における身生地との剛性比の例を表すグラフである。剛性が低い部分は身生地と同程度の剛性（剛性比１）またはやや高い程度の剛性とする。剛性が中間の部分では身生地の２倍程度の剛性とし、剛性が高い部分では身生地の３倍程度の剛性とする。着圧部における身生地との剛性比は、図６に示す剛性比よりも低く設定してもよく、例えば剛性が高い部分で身生地の２倍程度の剛性とし、剛性が中間の部分では身生地の１．５倍程度の剛性などとしてもよいし、逆に着圧部における身生地との剛性比を、図６に示す剛性比よりも高く設定してもよい。
【００３２】
前面中央部４０ａおよび背面中央部４０ｅは図６に示す剛性が低い部分とし、前面中間部４０ｂおよび背面中間部４０ｄは図６に示す剛性が中間の部分とする。また体側部４０ｃは図６に示す剛性が高い部分とする。トップス１０は、前面中間部４０ｂ、体側部４０ｃおよび背面中間部４０ｄ等を着圧部３０として構成することで、身体の体幹への着圧を高めることができる。また、トップス１０は、前面中間部４０ｂおよび背面中間部４０ｄを設けることによって、段階的に伸縮性を変化させて違和感を和らげ、身体へのフィット感が高まる。
【００３３】
体側部４０ｃは、例えば図２に基づき説明したように、樹脂塗布部３１を丈方向および周方向に並べて分布するように設け、周方向に抜け部分３２が少ない構成とする。前面中間部４０ｂおよび背面中間部４０ｄは、体側部４０ｃに比べて周方向に抜け部分３２が多くなるように構成する。また前面中央部４０ａおよび背面中央部４０ｅはそれぞれ、前面中間部４０ｂおよび背面中間部４０ｄに比べて更に周方向に抜け部分３２が多くなるように構成してもよいし、樹脂塗布部３１を設けず身生地８としてもよい。
【００３４】
また、前面中間部４０ｂ、体側部４０ｃおよび背面中間部４０ｄ等における丈方向の伸縮性は任意であってよいが、丈方向にほぼ均一に抜け部分３２を設けて丈方向に伸縮性がほぼ一定となるようにしてもよい。前面中間部４０ｂ、体側部４０ｃおよび背面中間部４０ｄ等には、実施形態１で説明した樹脂塗布部３１の他の例についても、伸縮性の変化が生じるように適用させることができる。
【００３５】
次にボトムス２０について説明する。前面中央部４１ａ、体側部４１ｂおよび背面中央部４１ｃに区分けされている。体側部４１ｂの周方向の範囲は、トップス１０の構成と比較すると、トップス１０の前面中間部４０ｂ、体側部４０ｃおよび背面中間部４０ｄの周方向の範囲に相当している。前面中央部４１ａおよび背面中央部４１ｃの下縁は高い位置にあり、体側部４１ｂの下縁は前面中央部４１ａおよび背面中央部４１ｃから体側へ向かうにつれて下降するように設けることで、脚部の屈伸に対する抵抗となることを抑制している。
【００３６】
前面中央部４１ａは、身体の前面側における下腹部の中央に配されており、下腹部中央での着圧感を低減すべく周方向の伸縮性が高い領域とする。前面中央部４１ａは、身生地８であってもよいし、周方向の伸縮性が身生地８よりやや高い程度の着圧部３０として構成してもよい。
【００３７】
背面中央部４１ｃは、身体の臀部背面側の中央上寄りの位置に配されており、周方向の伸縮性が最も低い着圧部３０として構成する。体側部４１ｂは、前面中央部４１ａと背面中央部４１ｃとの中間程度の周方向の伸縮性を持たせる。前面中央部４１ａ、体側部４１ｂおよび背面中央部４１ｃの剛性は、トップス１０と同様に例えば図６に示す剛性比で設定される。
【００３８】
ボトムス２０は、体側部４１ｂおよび背面中央部４１ｃ等を着圧部３０として構成することで、身体の体幹への着圧を高めることができる。また、ボトムス２０は、体側部４１ｂを設けることによって、段階的に伸縮性を変化させて違和感を和らげ、身体へのフィット感が高まる。体側部４１ｂおよび背面中央部４１ｃ等は、トップス１０と同様に、実施形態１において図２等に基づき説明した種々の樹脂塗布部３１を設けて周方向の伸縮性が変化するように構成する。
【００３９】
また、体側部４１ｂおよび背面中央部４１ｃ等における丈方向の伸縮性は任意であってよいが、身体の前面側において下方向に向かうにつれて丈方向の伸縮性が高くなるようにすることで脚部の屈伸に対する抵抗となることが抑制される。また、身体の背面側において上方向に向かうにつれて丈方向の伸縮性が高くなるようにすることで、腰部分の可動に対する抵抗となることが抑制される。
【００４０】
（実施形態３）
図７（ａ）は実施形態３に係るスポーツ用ウェア１００の正面図であり、図７（ｂ）は実施形態３に係るスポーツ用ウェア１００の背面図である。実施形態２では、トップス１０およびボトムス２０を周方向に区分けして構成したが、厳密な区分けを設定せずに、トップス１０およびボトムス２０を周方向の位置に応じて徐々に周方向の伸縮性を変化させてもよい。
【００４１】
図７（ａ）および図７（ｂ）は、周方向の伸縮性を濃淡で表しており、濃い部分で周方向の伸縮性が低く、薄い部分は周方向の伸縮性が身生地８と同じかやや高い程度とする。トップス１０は、前面中央部５０ａで伸縮性が高く、前面中間部５０ｂを経て体側部５０ｃへ向かうにつれて徐々に伸縮性が低くなり、体側部５０ｃから背面中間部５０ｄを経て背面中央部５０ｅに向かうにつれて徐々に伸縮性が高くなる。背面中央部５０ｅでは周方向の伸縮性が身生地８と同じかやや高い程度とする。
【００４２】
また、トップス１０において着圧部３０を形成する領域の上縁は、体側部５０ｃで高い位置（例えば胸骨下部の高さ位置など）にあり、体側部５０ｃから前面中央部５０ａおよび背面中央部５０ｅに向かうにつれて下降するように設ける。このように着圧部３０を形成する領域の上縁を設けることで、胸部におけるトップス１０の伸縮性を身生地８と同じかやや低い程度に設定し、胸部の動きの抵抗となることを抑制している。
【００４３】
トップス１０は、前面中央部５０ａで伸縮性を身生地８と同程度とすることで腹部中央での圧迫感を低減しつつ、体側部５０ｃで伸縮性を低く設定することで身体の体幹への着圧を高めることができる。また、トップス１０は、周方向の位置に応じて徐々に周方向の伸縮性を変化させることで違和感を和らげ、身体へのフィット感が高まる。尚、トップス１０における着圧部は、実施形態１において図２等に基づき説明した種々の樹脂塗布部３１を設け、周方向の伸縮性が徐々に変化するように構成することができる。
【００４４】
つぎにボトムス２０について説明する。ボトムス２０は、前面中央部５１ａで伸縮性が高く、体側部５１ｂを経て背面中央部５１ｃへ向かうにつれて徐々に伸縮性が低くなるように構成する。
【００４５】
また、ボトムス２０において着圧部３０を形成する領域の下縁は、前面中央部５１ａおよび背面中央部５１ｃで高い位置にあり、前面中央部５１ａおよび背面中央部５１ｃから体側部５１ｂへ向かうにつれて下降するように設ける。このように着圧部３０を形成する領域の下縁を設けることで、脚部の屈伸に対する抵抗となることを抑制している。
【００４６】
ボトムス２０は、前面中央部５１ａで伸縮性を身生地８と同程度とすることで下腹部中央での圧迫感を低減しつつ、体側部５１ｂから背面中央部５１ｃでの伸縮性を低く設定することで身体の体幹への着圧を高めることができる。また、ボトムス２０は、周方向の位置に応じて徐々に周方向の伸縮性を変化させることで違和感を和らげ、身体へのフィット感が高まる。尚、ボトムス２０における着圧部は、実施形態１において図２等に基づき説明した種々の樹脂塗布部３１を設け、周方向の伸縮性が徐々に変化するように構成することができる。
【００４７】
実施形態２および実施形態３において、ボトムス２０は、背面中央における伸縮性が低い部分を腰部に近い上寄りの位置とすることで、身体に与える押圧力が背面側において前面側よりも高い位置で生じる。ボトムス２０は、身体の背面側において前面側よりも高い位置に生じる押圧力によって、背面側に傾いた骨盤を起こして姿勢を良くする効果がある。
【００４８】
次に、各実施形態に係るスポーツ用ウェア１００の特徴を説明する。
スポーツ用ウェア１００は、着用者の身体に配される生地の少なくとも一部分に、身体への着圧を持たせた着圧部３０が形成されている。着圧部３０が形成される領域に、生地の表面に樹脂を塗布してなる複数の樹脂塗布部３１を分布させて設けてあり、前記領域内に樹脂塗布部３１の抜けた部分を設けることによって伸縮性を変化させている。これにより、スポーツ用ウェア１００は、低コストで伸縮性の変化を付与することができる。
【００４９】
またスポーツ用ウェア１００は、着用者の身体に配される生地の少なくとも一部分に、身体への着圧を持たせた着圧部３０が形成されている。着圧部３０が形成される領域に、生地の表面に樹脂を塗布してなる複数の樹脂塗布部３１を分布させて設けてあり、樹脂塗布部３１の寸法の大小を設けることによって伸縮性を変化させている。これにより、スポーツ用ウェア１００は、低コストで伸縮性の変化を付与することができる。
【００５０】
また着圧部３０は身体の体幹部に配されており、体側部４０ｃでの伸縮性が低く、前面中央部４０ａまたは背面中央部４０ｅにおいて伸縮性が高い。これにより、スポーツ用ウェア１００は、身体の体幹部の前面または背面の中央部での圧迫感を抑制することができる。
【００５１】
また体側部４０ｃと前面中央部４０ａとの間に、伸縮性が中間となる領域である前面中間部４０ｂを有する。これにより、スポーツ用ウェア１００は、身体の体側部から前面部にかけて段階的に伸縮性を変化させて違和感を和らげ、身体へのフィット感が高まる。
【００５２】
また着圧部３０は身体の臀部に配されており、背面中央部４１ｃにおいて伸縮性が低く、前面中央部４１ａにおいて伸縮性が高い。これにより、スポーツ用ウェア１００は、臀部における身体の前面側における中央部での圧迫感を抑制することができる。
【００５３】
また背面中央部４１ｃと前面中央部４１ａとの間に、伸縮性が中間となる領域である体側部４１ｂを有する。これにより、スポーツ用ウェア１００は、段階的に伸縮性を変化させて違和感を和らげ、身体へのフィット感が高まる。
【００５４】
また、着圧部３０は身体の体幹部及び臀部に配されており、体幹部の体側部４０ｃでの伸縮性が低く、体幹部の前面中央部４０ａまたは背面中央部４０ｅにおいて伸縮性が高く、臀部の背面中央部４１ｃにおいて伸縮性が低く、臀部の前面中央部４１ａにおいて伸縮性が高い。これにより、スポーツ用ウェア１００は、トップス１０およびボトムス２０がオーバーラップしたときに摩擦により着圧が上がる。また、スポーツ用ウェア１００は、体幹部および臀部を捻るような捻転動作時等において、バイアス方向（丈方向と周方向との間の方向)にも張力が発生し、体幹および臀部が安定する。
【００５５】
また、体幹部の体側部４０ｃと前面中央部４０ａとの間に、伸縮性が中間となる第１の領域である前面中間部４０ｂを有し、臀部の背面中央部４１ｃと前面中央部４１ａとの間に、伸縮性が中間となる第２の領域である体側部４１ｂを有する。これにより、スポーツ用ウェア１００は、段階的に伸縮性を変化させて違和感を和らげ、身体へのフィット感が高まる。
【００５６】
また樹脂塗布部３１は、多角形状または曲線で構成される図形であり、丈方向および周方向に並べて配されている。これにより、スポーツ用ウェア１００は、樹脂塗布部３１間に隙間が形成され、通気性が良くなる。
【００５７】
また上述の樹脂は、ラバー、ウレタンまたはシリコン等である。これにより、スポーツ用ウェア１００は、ラバー、ウレタンまたはシリコン等を生地に塗布して樹脂塗布部３１を形成し、伸縮性を変化させることができる。また、フロッキー加工や箔プリント技術などによっても同様の効果が期待できる。
【００５８】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００５９】
３０  着圧部、  ３１  樹脂塗布部、  ４０ａ，４１ａ  前面中央部、
４０ｅ，４１ｃ  背面中央部、  １００  スポーツ用ウェア。
【産業上の利用可能性】
【００６０】
本発明は、スポーツ用ウェアに関する。
【図１】
2020065969.tif 000003
【図２】
2020065969.tif 000004
【図３】
2020065969.tif 000005
【図４】
2020065969.tif 000006
【図５】
2020065969.tif 000007
【図６】
2020065969.tif 000008
【図７】
2020065969.tif 000009
【国際調査報告】
2020065969.tif 000010
2020065969.tif 000011
2020065969.tif 000012